(57)【要約】  【課題】転写時に起こり得る転写対象物の転写ヘッドへの巻き込みを防止し、スムーズに転写作業を行うことができる転写具を提供する。  【解決手段】転写ヘッドＨの転写面ＲＴａを紙片Ｐに接触させつつ所定の転写方向へ移動させることによりテープ糊Ｔの糊Ｔｂを紙片Ｐに転写する際に、転写面ＲＴａを通過した紙片Ｐを、転写面ＲＴａを通過したテープ本体Ｔａが巻き取られる方向であるテープ巻取方向とは異なる方向へ案内することにより紙片Ｐのテープ巻取方向への巻き込みを防止する巻込防止手段たるコーナー部４１Ｇ、４３Ｇをケース４に形成した。【選択図】図７
2005319621.tif 000002
【特許請求の範囲】
【請求項１】
ケースに保持された転写テープを紙等の転写対象物に転写する際に用いられる転写具であって、
前記転写テープが、テープ本体と当該テープ本体の片面に剥離可能に添着された転写要素とからなるものであり、
前記ケースが、少なくとも前記転写テープを前記転写対象物に接触させ得る転写ヘッドと、前記テープ本体の片面に前記転写要素を添着した前記テープ本体を前記転写ヘッドへ送り出すとともに前記転写ヘッドを通過し前記テープ本体の片面に前記転写要素を添着していない前記テープ本体を巻き取る巻出巻取機構とを具備してなり、
前記転写ヘッドが、前記転写対象物に接触し且つ前記転写要素を転写対象物に転写する部位である転写面を有し、
当該転写面を前記転写対象物に接触しつつ所定の転写方向へ移動させることにより前記転写要素を前記転写対象物に転写する際に、前記転写面を通過した前記転写対象物を、前記転写面を通過した前記テープ本体が前記巻出巻取機構によって巻き取られる方向であるテープ巻取方向とは異なる方向へ案内することにより前記転写対象物の前記テープ巻取方向への巻き込みを防止する巻込防止手段を前記ケースに形成していることを特徴とする転写具。
【請求項２】
前記転写ヘッドが、転写時に回転し得る前記転写面を有してなる転写ローラを具備するものである請求項１記載の転写具。
【請求項３】
前記巻込防止手段を、側面視において前記転写ローラの縁部よりも前記転写方向の逆方向である反転写方向側に位置付けた前記ケースの縁部に形成したガイド部により構成し、前記転写面を通過した前記転写対象物を前記転写ローラの縁部よりも前記ガイド部に優先して添接させることにより当該転写対象物を前記テープ巻取方向とは異なる方向に案内可能に構成している請求項２記載の転写具。
【請求項４】
前記転写ヘッドが、転写時に回転することなく前記転写対象物の表面を滑る前記転写面を有してなる面板部を具備するものである請求項１記載の転写具。
【請求項５】
前記巻込防止手段を、側面視において前記面板部の縁部よりも前記転写方向の逆方向である反転写方向側に位置付けた前記ケースの縁部に形成したガイド部により構成し、前記転写面を通過した前記転写対象物を前記面板部の縁部よりも前記ガイド部に優先して添接させることにより当該転写対象物を前記テープ巻取方向とは異なる方向に案内可能に構成している請求項４記載の転写具。
【請求項６】
前記ガイド部が側面視略角状をなしている請求項３又は５記載の転写具。
【請求項７】
前記巻込防止手段が、前記ガイド部に沿って前記転写方向に対して平面視略直交する方向に突出させてなるガイド補助部を具備し、前記転写面を通過した前記転写対象物を前記ガイド部及び前記ガイド補助部に添接させることにより当該転写対象物を前記テープ巻取方向とは異なる方向に案内可能に構成している請求項３、５又は６記載の転写具。
【請求項８】
前記ガイド部が、前記ケースの外側壁を形成する外側板の縁部であり、前記ガイド補助部が、前記外側板の縁部から外側方に向かって突出させてなる外方突出部である請求項７記載の転写具。
【請求項９】
前記ガイド部が、前記ケースの外側面を形成する外側板の縁部であり、前記ガイド補助部が、前記外側板の縁部から内側方に向かって突出させてなる内方突出部である請求項７記載の転写具。
【請求項１０】
前記ガイド部が、前記ケースの外側面を形成する外側板の縁部であり、前記ガイド補助部が、前記外側板の縁部から外側方に向かって突出させてなる外方突出部と、前記外側板の縁部から内側方に向かって突出させてなる内方突出部である請求項７記載の転写具。
【請求項１１】
前記ケースに転写時に前記転写対象物の縁部が当接し得る当たり部を備え、前記転写対象物の縁部を当該当たり部に案内可能に構成し、当該当たり部が前記ケースの一方の外側板から下方に向かって延出する延出部を用いたものであり、前記外方突出部を前記ケースの他方の外側板に設けている請求項８又は１０記載の転写具。
【請求項１２】
前記内方突出部が、前記外側板の縁部間を連結する連結部である請求項１０又は１１記載の転写具。
【請求項１３】
前記ケースが、少なくとも前記転写テープ及び前記転写ヘッドを保持する詰替カートリッジを着脱可能に収納するものである請求項１、２、３、４、５、６、７、８、９、１０、１１又は１２記載の転写具。
【請求項１４】
前記ケースを備えた転写具本体と、当該転写具本体に付帯させてなる転写対象物受け台とを具備してなり、前記転写具本体と前記転写対象物受け台との間に前記転写対象物が挿通可能な挿通空間を形成し、当該挿通空間内に少なくとも前記転写面が表出するように前記転写ヘッドを位置付け、前記挿通空間に前記転写対象物を挿入して前記転写具本体と前記転写対象物受け台との間に転写対象物を挟んだ状態で前記転写面を前記転写対象物に接触させながら転写方向へ移動させることにより前記転写テープを前記転写対象物に転写するように構成している請求項１、２、３、４、５、６、７、８、９、１０、１１、１２又は１３記載の転写具。
【発明の詳細な説明】
【技術分野】
【０００１】
本発明は、転写テープを紙等の転写対象物に転写する際に用いる転写具に関するものである。
【背景技術】
【０００２】
従来より、転写テープを紙等の転写対象物に転写する際に用いる転写具が種々案出されている。ここで、転写テープとしては、テープ本体の片面に、例えば粘着テープや粘着性を有しないテープ等のテープ類、或いは固体又は液体のり等の転写要素を剥離可能に添着したものが周知である。このような転写テープを転写するための転写具は、転写テープ及び転写ヘッドを内部に保持するケースに、重ね合わせた状態で巻き掛けたテープ本体の片面に転写要素を添着した転写テープを転写ヘッドに送り出すとともに転写ヘッドを通過しテープ本体の片面に転写要素を添着していない転写テープを巻き取って回収する巻出巻取機構を設け、転写対象物に転写ヘッドを接触させた状態で転写方向にスライド移動させることによって、転写要素を転写対象物に転写するように構成されている（例えば特許文献１参照）。
【特許文献１】特開２００２−１７８６９４公報（図２等）
【発明の開示】
【発明が解決しようとする課題】
【０００３】
しかしながら、従来のものは、転写ヘッド一部又は全部がケースよりも転写方向の逆方向である反転写方向側に突出しているため、転写ヘッドを通過した転写対象物が、転写時に転写ヘッドを通過したテープ本体が巻出巻取機構により巻き取られる動作に連動して転写ヘッドに巻き込まれるという不具合が生じる。その結果、転写ヘッドに対する転写対象物の移動を円滑に行うことができず、転写作業をスムーズに行うことができないという問題が発生する。このような不具合は、転写ヘッドが転写ローラを有するものである場合、転写ローラ自体の回転動作によって特に誘発され易い。さらに、転写対象物が薄手の紙片である場合や、転写対象物の端部における転写時に上記不具合が生じ易いことが経験上知られている。
【０００４】
本発明は、このような課題に着目してなされたものであって、主たる目的は、転写時に起こり得る転写対象物の転写ヘッドへの巻き込みを防止し、転写作業をスムーズに行うことができる転写具を提供することにある。
【課題を解決するための手段】
【０００５】
すなわち、本発明の転写具は、ケースに保持された転写テープを紙等の転写対象物に転写する際に用いられる転写具であって、前記転写テープが、テープ本体とこのテープ本体の片面に剥離可能に添着された転写要素とからなるものであり、前記ケースが、少なくとも前記転写テープを前記転写対象物に接触させ得る転写ヘッドと、前記テープ本体の片面に前記転写要素を添着した前記テープ本体を前記転写ヘッドへ送り出すとともに前記転写ヘッドを通過し前記テープ本体の片面に前記転写要素を添着していない前記テープ本体を巻き取る巻出巻取機構とを具備してなり、前記転写ヘッドが、前記転写対象物に接触し且つ前記転写要素を転写対象物に転写する部位である転写面を有し、この転写面を前記転写対象物に接触しつつ所定の転写方向へ移動させることにより前記転写要素を前記転写対象物に転写する際に、前記転写面を通過した前記転写対象物を、前記転写面を通過した前記テープ本体が前記巻出巻取機構によって巻き取られる方向であるテープ巻取方向とは異なる方向へ案内することにより前記転写対象物の前記テープ巻取方向への巻き込みを防止する巻込防止手段を前記ケースに形成していることを特徴とする。
【０００６】
ここで「転写方向」とは、転写時に転写対象物に対して転写具を移動させる方向を指す。このようなものであれば、転写時に転写面を通過したテープ本体が巻出巻取機構により巻き取られる動作に連動して転写対象物がテープ本体が巻き取られる方向に巻き込まれるという事態を回避することが可能となり、転写ヘッドに対する転写対象物の移動を滑らかにすることができ、スムーズに転写作業を行うことができる。その結果、転写対象物が薄手の紙片である場合や、転写対象物の縁部近傍領域に転写する場合等にも転写対象物のテープ巻取方向への巻き込みを防止することができ、使い勝手に優れたものとなる。また、ケースに巻込防止手段を設けることにより、比較的小さい部品である転写ヘッドに巻込防止手段を設ける態様と比較して、細かな作業が要求されず成形性に優れたものとなる。
【０００７】
また、転写ヘッドが、転写時に回転し得る前記転写面を有してなる転写ローラを具備するものであれば、転写対象物のテープ巻取方向への巻き込みが特に起こり易かった転写ローラを設けたタイプの転写具であっても、前記巻込防止手段によって転写ヘッドへの転写対象物の巻き込みを防止することができ、特に有用である。この場合、前記巻込防止手段を、側面視において前記転写ローラの縁部よりも前記転写方向の逆方向である反転写方向側に位置付けた前記ケースの縁部に形成したガイド部により構成し、前記転写面を通過した前記転写対象物を前記転写ローラの縁部よりも前記ガイド部に優先して添接させることによりこの転写対象物を前記テープ巻取方向とは異なる方向に案内可能に構成すれば、転写面を通過した転写対象物のテープ巻込方向への巻き込みをケースの縁部に形成したガイド部によって防止することができるのみならず、側面視においてガイド部を形成したケースの縁部が転写ローラの縁部よりも反転写方向側に位置するため、転写ヘッドの一部又は全部がケースによって側面視において被覆され、ガイド部を形成したケースの縁部が転写ヘッドを保護する役割を担う。
【０００８】
一方、前記転写ヘッドが、転写時に回転することなく前記転写対象物の表面を滑る前記転写面を有してなる面板部を具備するものであってもよい。このようなものであれば、転写ヘッドに転写ローラを設ける態様と比較して、そもそも転写対象物のテープ巻取方向への巻き込みが起こり難い上、回転支軸等を配設する必要がなく、構造の簡素化を図ることができる。この場合には、前記巻込防止手段を、側面視において前記面板部の縁部よりも前記転写方向の逆方向である反転写方向側に位置付けた前記ケースの縁部に形成したガイド部により構成し、前記転写面を通過した前記転写対象物を前記面板部の縁部よりも前記ガイド部に優先して添接させることによりこの転写対象物を前記テープ巻取方向とは異なる方向に案内可能に構成していることが好ましい。
【０００９】
前記ガイド部が、側面視略角状をなすものであれば、転写面を通過した転写対象物とガイド部との添接する領域が必然的に小さくなり、転写対象物の転写具自体に対する離れ具合も格段に良くなる。ここで「角状」とは、少なくとも一点から出る二本の線分によって形成される形状であり、三本以上の線分で囲まれてなる多角形状のものも含む概念である。
【００１０】
加えて、前記巻込防止手段が、前記ガイド部に沿って前記転写方向に対して平面視略直交する方向に突出させてなるガイド補助部を具備し、前記転写面を通過した前記転写対象物を前記ガイド部及び前記ガイド補助部に添接させることによりこの転写対象物を前記テープ巻取方向とは異なる方向に案内可能に構成していれば、転写面を通過した転写対象物をガイド部と共にガイド補助部に案内させることにより、転写面を通過した転写対象物をより確実に転写テープが巻き込まれる方向に巻き込まれることを防止することができる。
【００１１】
ガイド部及びガイド補助部の具体的な実施態様としては、前記ガイド部が、前記ケースの外側壁を形成する外側板の縁部であり、前記ガイド補助部が、前記外側板の縁部から外側方に向かって突出させてなる外方突出部であるものが挙げられる。
【００１２】
また、ガイド部及びガイド補助部の他の具体的な実施態様としては、前記ガイド部が、前記ケースの外側面を形成する外側板の縁部であり、前記ガイド補助部が、前記外側板の縁部から内側方に向かって突出させてなる内方突出部である態様や、前記ガイド部が、前記ケースの外側面を形成する外側板の縁部であり、前記ガイド補助部が、前記外側板の縁部から外側方に向かって突出させてなる外方突出部と、前記外側板の縁部から内側方に向かって突出させてなる内方突出部である態様が挙げられる。
【００１３】
さらに、前記ケースに転写時に前記転写対象物の縁部が当接し得る当たり部を備え、前記転写対象物の縁部を当該当たり部に案内可能に構成し、当該当たり部が前記ケースの一方の外側板から下方に向かって延出する延出部を用いたものであり、前記外方突出部を前記ケースの他方の外側板に設けていれば、延出部を備えていない外側板にのみ外方突出部を設けるだけでよいため、両外側板にそれぞれ外方突出部を設ける態様と比較して、構造の簡素化を有効に図ることができるのみならず、転写時に、一方の外側板に設けた延出部に転写対象物の縁部を当接させることにより、転写具に対する転写対象物の位置決めを的確に行うことができ、転写対象物の縁部と略平行に転写を行うことが可能になる。
【００１４】
特に、前記内方突出部が、前記外側板の縁部間を連結する連結部であれば、連結板がガイド補助部としての役割を担うとともに、外側板間の剛性度及び転写ヘッドの配設箇所近傍領域における強度を有効に高めることができる。
【００１５】
さらに、前記ケースが、少なくとも前記転写テープ及び前記転写ヘッドを保持する詰替カートリッジを着脱可能に収納するものであれば、ケースに巻込防止手段を設けていることにより、詰替カートリッジの交換作業の有無に関係なく、同じ巻込防止手段を使い続けることができ、交換部品点数を最小必要限に抑えることができ、コスト面において有利になる。
【００１６】
前記ケースを備えた転写具本体と、この転写具本体に付帯させてなる転写対象物受け台とを具備してなり、前記転写具本体と前記転写対象物受け台との間に前記転写対象物が挿通可能な挿通空間を形成し、この挿通空間内に少なくとも前記転写面が表出するように前記転写ヘッドを位置付け、前記挿通空間に前記転写対象物を挿入して前記転写具本体と前記転写対象物受け台との間に転写対象物を挟んだ状態で前記転写面を前記転写対象物に接触させながら転写方向へ移動させることにより前記転写テープを前記転写対象物に転写するように構成していれば、従来の転写具にはない使用態様、すなわち、転写具本体と転写対象物受け台との間に紙を挟み込んだ状態で転写する使用態様を採用することができるため、転写時に転写対象物を敷くためのテーブルや机等の台を用いる必要がなく、場所を選ばずいつでもどこでも簡単に転写することができる。
【発明の効果】
【００１７】
以上説明したように本発明によれば、転写時に転写面を通過したテープ本体が巻出巻取機構により巻き取られる動作に連動して転写対象物がテープ本体が巻き取られる方向に巻き込まれるという事態を回避することが可能となり、転写ヘッドに対する転写対象物の移動を滑らかにすることができ、スムーズに転写作業を行うことができる。また、ケースに巻込防止手段を設けることにより、比較的小さい部品である転写ヘッドに巻込防止手段を設ける態様と比較して、細かな作業が要求されず成形性に優れたものとなる。
【発明を実施するための最良の形態】
【００１８】
以下、本発明の一実施形態を、図面を参照して説明する。
【００１９】
本実施形態に係る転写具Ａは、例えば図１、図２等に示すように、テープ本体Ｔａと、このテープ本体Ｔａの片面に剥離可能に添着された転写要素たる糊Ｔｂとからなる転写テープたるテープ糊Ｔを転写対象物たる紙片Ｐに貼付するものである。
【００２０】
転写具Ａは、主として、前記テープ糊Ｔを保持し且つテープ糊Ｔを紙片Ｐに接触させ得る転写ヘッドＨを有する転写具本体１と、この転写具本体１に付帯させてなる転写対象物受け台２とを備えたものである。なお、以下の説明において、位置若しくは方向を示す用語である「前」とは、転写具Ａの転写ヘッドＨが位置する側を指し、「後」とは転写具Ａの長手方向における転写ヘッドＨが位置する側の反対側を指す。また、「前後方向」とは転写具Ａの長手方向を指す。また、「上」とは転写具Ａにおける転写具本体１が位置する側を指し、「下」とは転写具Ａにおける転写対象物受け台２が位置する側を指す。
【００２１】
転写具本体１は、主として、テープ糊Ｔを保持する詰替カートリッジ３と、この詰替カートリッジ３を着脱可能に収容するケース４とを備えている。
【００２２】
詰替カートリッジ３は、図２乃至図４（なお、図３は転写対象物受け台が後述する使用位置にある転写具を一部省略して示す側面図であり、図４は転写対象物受け台が後述する不使用位置にある転写具を一部省略して示す側面図である）等に示すように、主として巻出用スプールＳＰ１及び巻取用スプールＳＰ２をそれぞれ回転可能に支持する内側板３１を用いて構成されたものであり、この内側板３１の前端部に転写ヘッドＨを支持させている。
【００２３】
内側板３１は、例えば合成樹脂製の薄板状をなすものであり、本実施形態では前端部側を斜め下方に延出させた側面視概略卵形をなすものとしている。巻出用スプールＳＰ１及び巻取用スプールＳＰ２は、いずれも両側端部に鍔部を一体に設け且つ略円筒状をなしており、軸方向に沿って貫通する貫通孔を形成したものである。そして、各スプールＳＰ１、ＳＰ２の貫通孔に、内側板３１の前後方向略中央部及び後端側からそれぞれ内側板３１と直交する方向に突出させてなる軸３１ａ、３１ｂをそれぞれ挿入することにより、各スプールＳＰ１、ＳＰ２を内側板３１に抜脱不能に取り付けている。このようにして巻出用スプールＳＰ１及び巻取用スプールＳＰ２を内側板３１に片持ち的に支持させている。また、内側板３１における巻取用スプールＳＰ２が取り付けられる部位に、側面視部分円弧状のスリット３１ｃを形成している。
【００２４】
転写ヘッドＨは、テープ糊Ｔの紙片Ｐへの転写時に回転し得る転写ローラＲＴを有するものである。この転写ローラＲＴは、外部から加えられた力によって若干弾性変形し得るクッション性材料により形成している。そして、内側板３１の前端近傍部位に、内側板３１と直交する方向に所定寸法延出させた直交片部３１１とこの直交片部３１１の先端部から内側板３１と略並行をなして延びる平行片部３１２とを一体に設け、この平行片部３１２の先端部及び平行片部３１２の先端部に対向する内側板３１の所定部位にそれぞれ形成した貫通孔に、転写ローラＲＴの回転支軸ＳＴの側端部をそれぞれ挿入することにより、転写ローラＲＴを回転支軸ＳＴを中心に回転可能に設定している。ここで、本実施実施において転写ヘッドＨの先端部とは、転写ローラＲＴのうち、転写時に紙片Ｐに接触し且つテープ糊Ｔを転写する部位である転写面ＲＴａの先端部を指す。この転写面ＲＴａは転写時に回転し得るものである。また、平行片部３１２の先端部及び平行片部３１２の先端部に対向する内側板３１の所定部位に、それぞれ外側方に向かって膨出させた筒状部３１２ｂ、３１ｄを設け、これら筒状部３１２ｂ、３１ｄを後述する各外側板４１、４３に設けた嵌合部４１９、４３７にそれぞれ嵌合可能に設定している。なお、本実施形態においては、これら筒状部３１２ｂ、３１ｄを、前記転写ローラＲＴの回転支軸ＳＴの側端部がそれぞれ挿入可能な前記貫通孔に関連付けて設けている。
【００２５】
他方、ケース４は、図２乃至図４等に示すように、主として転写具本体１の一方の外側壁を形成する第１外側板４１と、この第１外側板４１と対向し転写具本体１の他方の外側壁を形成する第２外側板４３とを備えたものである。
【００２６】
第１外側板４１は、前記内側板３１と同様に、例えば合成樹脂製の薄板状をなすものであり、本実施形態においては上縁部におけるコーナー部に丸みを帯びた側面視略方形状をなしている。この第１外側板４１の内側面に、前記巻出用スプールＳＰ１及び巻取用スプールＳＰ２を回転駆動するための巻出用ギアＧ１と、巻出用ギアＧ１より小径であり且つ巻出用ギアＧ１と噛合する巻取用ギアＧ２とを取付可能に構成している。巻出用ギアＧ１は、巻出用ギアＧ１の中心部に形成した挿通孔に第１外側板４１の前後方向略中央部より若干前端側に形成した軸４１ａを挿通し、次いでこの軸４１ａにコアＣ１を脱落不能に取り付けることにより、第１外側板４１の内側面に取り付けられている。一方、巻取用ギアＧ２は、コアＣ２を一体に有するものであり、その中央部に形成した挿通孔に第１外側板４１の後端部側に形成した軸４１ｂに挿通させることにより、第１外側板４１の内側面に脱落不能に取り付けられている。そして、ケース４に詰替カートリッジ３を装着した際に、コアＣ１の外周が巻出用スプールＳＰ１の内周と噛み合うとともに、コアＣ２の外周が巻取用スプールＳＰ２の内周と噛み合うように設定している。また、第１外側板４１の周縁のうち、前縁における下端部及び下縁における前端部を除く部位から第１外側板４１と略直交する方向に延出させてなる前周縁部４１３、上周縁部４１４、後周縁部４１５及び下周縁部４１６を連続させて一体に設けている。なお、下周縁部４１６の一部を非連続的に設定し、この部位に平面視略コ字状の固定部材４２を介して第２補助ローラＲ２ａを取り付けている。固定部材４２は、対向する一対の対向片４２１とこれら対向片４２１の一端部同士を連続させてなる連結片４２２とを備えた一体成形品であり（図２参照）、各対向片４２１の他端部から突出させてなる図示しない突起部を第１外側板４１に形成した図示しない被挿入凹部に挿入することにより固定部材４２を第１外側板４１に固着させている。しかして、この固定部材４２の連結片４２２及び第１外側板４１に相互に対向するように挿入穴を形成し、これら挿入穴に第２補助ローラＲ２ａの回転支軸Ｓ２ａの側端部をそれぞれ挿入することにより、第２補助ローラＲ２ａを回転支軸Ｓ２ａを中心に回転可能に設定している。この第２補助ローラＲ２ａは、転写ローラＲＴと同様に、外部からの加えられた力によって若干弾性変形し得るクッション性材料により形成している。加えて、第１外側板４１に、下周縁部４１６よりさらに下方に延出させてなる延出片４１７を一体に設けている（図５参照、なお、同図（ａ）は図３の要部を示す図であり、同図（ｂ）は図４の要部を示す図である。図５においては、延出片４１７をパターンを付して示し、後述するネジＶを省略している）。そして、転写具本体１と転写対象物受け台２とを近接させた状態において、後述する転写対象物受け台２に設けた第１補助ローラＲ１及び第２補助ローラＲ２ｂと延出片４１７とが干渉することを回避すべく、より具体的には各ローラＲ１、Ｒ２ｂの回転支軸Ｓ１、Ｓ２ｂと延出片４１７とが干渉することを回避すべく、延出片４１７における各補助ローラＲ１、Ｒ２ｂ（各回転支軸Ｓ１、Ｓ２ｂ）に対応する部位を側面視略部分円弧状に切り欠いている。そのために紙片Ｐの縁部Ｐａと糊Ｔｂの縁部とを略一致させることができる。また、延出片４１７の後端部には、延出片４１７の延出方向と直交する方向に突出させてなる軸４１８を設けている（図２、図５参照）。この軸４１８は、概略円柱状のものであり、側面視における上縁部４１８ａ及び下縁部４１８ｂを略平行に切り落とした側面視略小判状をなしている。これにより、上縁部４１８ａと下縁部４１８ｂとの間の距離、言い換えれば、側面視における軸４１８の上縁部４１８ａと下縁部４１８ｂとの高さ寸法は、軸４１８の直径より小さく設定される。さらに、軸４１８の上縁部４１８ａ及び下縁部４１８ｂと第１外側板４１の下周縁部４１６とが所定角度をなすように設定している。本実施形態においては、軸４１８の上縁部４１８ａおよび下縁部４１８ｂと第１外側板４１の下周縁部４１６とが前方（反転写方向）を向いて略１５度をなすように設定している。なお、本実施形態では、この軸４１８を延出片４１７に一体に設けた態様を採用しているが、延出片４１７とは別部材の軸を延出片４１７に一体的に取り付けた態様を採用してもよい。また、第１外側板４１の後縁部位の一部を前端側に窪ませてなる凹部４１Ａを形成し、凹部４１Ａに後述する第２外側板４３に設けた係合片４３ａが係合する係合孔４１ａを形成している（図２参照）。さらに、第１外側板４１の前端部における下縁側に、内側方に向かって膨出させた嵌合部４１９を設けている。この嵌合部４１９は、前記内側板３１に設けた筒状部３１２ｂの内周及び外周に同時に嵌合する形状をなしている。また、前周縁部４１３の下縁側に、前周縁部４１３と同じ方向、すなわち第１外側板４１と直交する方向に向けて突出させた鉤状の係止片４１Ｋを設け、この係止片４１Ｋと後述する第２外側板４３に形成した係止孔４３Ｋとが相互に係し得るように設定してある。しかして、この第１外側板４１の下縁部における前端側のコーナー部４１Ｇが側面視略直角形状をなしている。
【００２７】
一方、第２外側板４３は、前記第１外側板４１と同様に、例えば合成樹脂製の薄板状をなすもので、側面視形状を第１外側板４１の側面視形状に略対応するように設定しており、下端部略中央部に、第１外側板４１に設けた固定部材４２との干渉を回避すべく固定部材４２の側面視形状と略同形状の切欠き４３１を形成してある。第２外側板４３の内側面における前記詰替カートリッジ３の内側板３１の外側面が当接または近接し得る所定領域に、内側板３１の側面視形状に略対応させて他の領域より薄肉となるように外側面側に窪ませてなる嵌合凹部４３２を形成している（図２参照）。これにより内側板３１の第２外側板４３に対する位置決めを容易に行えるようにしている。この嵌合凹部４３２に、側面視部分円弧状のスリット４３２ａを形成し、ケース４内に詰替カートリッジ３を取り付けた状態において、このスリット４３２ａ及び内側板３１に形成した前記スリット３１ｃから巻取用スプールＳＰ２の外側面に円周方向に沿って間欠的に設けた凹陥部ＳＰ２ａに、ドライバやペン等先端部に尖った部位を有する適宜の工具又は筆記具等を差し込んで巻取用スプールＳＰ２を回転させると、それに伴って巻出用スプールＳＰ１も連動して回転し転写具本体１内でのテープ本体Ｔａを含むテープ糊Ｔの緩みを調整できるようにしている。また、第２外側板４３の周縁のうち、前縁における下端部及び下縁における前端部を除く部位から第２外側板４３と略直交する方向に延出させてなる前周縁部４３３、上周縁部４３４、後周縁部４３５及び下周縁部４３６を連続させて一体に設けている。さらに、第１外側板４１に設けた嵌合部４１９と対応する位置、すなわち、第２外側板４３の前端部における下縁側に、外側方に向かって膨出させた嵌合部４３７を設けている。この嵌合部４３７は、前記詰替カートリッジ３の内側板３１に設けた筒状部３１ｄの内周及び外周に同時に嵌合する形状をなしている。また、第１外側板４１に形成した凹部４１Ａに対応させて第２外側板４３の後縁部位の一部にも前端側に窪まてなる凹部４３Ａを形成し、この凹部４３Ａに、後周縁部４３５と同じ方向、すなわち第２外側板４３と直交する方向に向けて突出し且つ第１外側板４１の凹部４１Ａに形成した係合孔４１ａに係合する係合片４３ａを設けている。しかして、この第２外側板４３の下縁部における前端側のコーナー部４３Ｇが、第１外側板４１と同様に、側面視略直角形状をなしている。
【００２８】
そして、このような構成を有する第１外側板４１と第２外側板４３とを一体的に組み付けるには、第１外側板４１の係合孔４１ａに第２外側板４３の係合片４３ａを係合させることにより行う。これにより、係合片４３ａと係合孔４１ａとの係合部位がヒンジ機構として機能し、第１外側板４１と第２外側板４３とをこの係合部位を支点に相対的に回動可能に設定する。このようにして外側板４１、４３同士を一体的に組み付けてなるケースは、第１外側板４１の各周縁部４１３、４１４、４１５、４１６と、第２外側板４３の各周縁部４３３、４３４、４３５、４３６とを当接又は近接させて第１外側板４１と第２外側板４３との間を略閉塞させた閉込位置（Ｃ）と、第１外側板４１と第２外側板４３とが平面視略直線状に位置しそれぞれの内部空間が開放された開放位置（図示省略）との間で回動可能に設定している。なお、閉込位置（Ｃ）に設定した場合には、第２外側板４３の前周縁部４３３に形成した係止孔４３Ｋと、第１外側板４１に設けた係止片４１Ｋとの係合により第１外側板４１と第２外側板４３とが係り合った状態となる。このように、係止片４１Ｋとこの係止片４１Ｋに対応する係止孔４３Ｋとによって閉込位置（Ｃ）において第１外側板４１と第２外側板４３とを相互に係り合わせる係止手段を構成している。
【００２９】
次に、このような構成を有する第１外側板４１と第２外側板４３とを組み付けてなるケース４内に前記詰替カートリッジ３を取り付ける手順について説明する。先ず、予め係合片４３ａと係合孔４１ａとを係合させてなるヒンジ機構を利用して相対的に回動可能に組み付けた第１外側板４１と第２外側板４３とを前記開放位置に設定する。そして、巻出用スプールＳＰ１の内周とコアＣ１の外周とを噛み合わせるとともに、巻取用スプールＳＰ２の内周とコアＣ２の外周とを噛み合わせるように詰替カートリッジ３を第１外側板４１に嵌め合わせる。これにより、詰替カートリッジ３の平行片部３１２に設けた筒状部３１２ｂと第１外側板４１に設けた嵌合部４１９が嵌合する。次いで、第１外側板４１と第２外側板４３とを開放位置から前記閉込位置（Ｃ）へ回動させる操作に伴い、詰替カートリッジ３の内側板３１に設けた筒状部３１ｄと第２外側板４３に設けた嵌合部４３７が嵌合するとともに、内側板３１の外側面が第２外側板４３に形成した嵌合凹部４３２に当接または近接した状態で嵌まり込み、第１外側板４１と第２外側板４３との間に詰替カートリッジ３が安定した状態で保持される。この組付状態において、転写ヘッドＨの先端部、すなわち転写ローラＲＴの転写面ＲＴａと第２補助ローラＲ２ａの下端部が、第１外側板４１及び第２外側板４３の下周縁部４１６、４３６よりさらに下方に位置するように設定されている（図３乃至図５参照）。しかして、第１外側板４１の下縁部における前端側のコーナー部４１Ｇ、及び第２外側板４３の下縁部における前端部のコーナー部４３Ｇが、転写ローラＲＴの縁部、より具体的には転写ローラＲＴの外縁部よりも反転写方向側（前方側）に位置している。
【００３０】
他方、転写対象物受け台２は、主として、前記第１外側板４１の延出片４１７に設けた軸４１８を支持するように形成された軸受け部５１１を有するベース５と、ベース５に対して天秤動作可能に設定されたアーム部６とを備えたものである。
【００３１】
ベース５は、前後巾寸法が、転写具本体１の前後巾寸法より若干小さく設定され、前後方向略中央部から前端部に亘る領域の高さ寸法を前後方向略中央部から後端部に亘る領域の高さ寸法より小さくなるように前後方向略略中央部に段部５Ｄを形成している。以下の説明においては、この段部５Ｄより後端部側の部位を後半部５１と称し、段部５Ｄより前端部側の部位を前半部５２と称す。後半部５１に、前記軸受け部５１１を形成している。この軸受け部５１１は、軸４１８の直径より僅かに大きな径をなす第１大径部５１１ａ及び第２大径部５１１ｂを前後方向に所定距離離間した部位に有するとともに、これら大径部５１１ａ、５１１ｂ同士を連通するように前後方向に延びる溝５１１ｃとを有する。溝５１１ｃは、軸４１８が挿通可能なものであるが、本実施形態においては、溝５１１ｃの高さ寸法を軸４１８の側面視における上縁部４１８ａと下縁部４１８ｂとの高さ寸法より若干大きく且つ軸４１８の直径より小さく設定している（図５参照）。そして、この軸受け部５１１を形成した部位に対応させて、ベース５の後半部５１における両外側壁を構成する外壁部５１２間に所定巾寸法のスペースを形成し、このスペースに側面視形状がベース５の後半部５１の側面視形状に略合致し且つ前記軸受け部５１１と略同形状の開口部５３ａを有する弾性部材５３を分離不能に取り付けている（図２及び図５参照）。弾性部材５３は、後端部の一部を切り離したものであり、開口部５３ａが後方に開口する側面視略Ｕ字形状をなしている。この弾性部材５３の前端部のみをベース５に固着し、前端部以外の部位が外力から加えられた力によって若干弾性変形し得るように設定されている。この弾性部材５３の開口部５３ａは、前端部及び中央部が前記軸受け部５１１の第１大径部５１１ａ及び溝５１１ｃと略合致するとともとに、後端部が溝５１１ｃと略合致する高さ寸法であるため、側面視においては、弾性部材５３の後端部が第２大径部５１１ｂ内に表出している（図５及び後述する図７参照）。また、前半部５２の前後方向略中央部には上方に突出させてなる突出部５２１を設け、この突出部５２１の先端部にそれぞれ外側方に向かって突出させた側面視円形の一対の凸部５２１ａを設けている。
【００３２】
アーム部６は、ベース５の前半部５２に配設されるものであり、前後方向略中央部に、前記ベース５の前半部５２に設けた凸部５２１ａが嵌まり込む嵌合孔６１ａを形成している。また、アーム部６の前端部に、転写時に前記転写ローラＲＴと連動して回転し得る第１補助ローラＲ１を設けているとともに、アーム部６の後端部に、転写時に前記転写具本体１に設けた第２補助ローラＲ２ａと連動して回転し得る第２補助ローラＲ２ｂを設けている。具体的には、アーム部６の前端部及び後端部の所定部位にそれぞれ形成した一対の挿入孔６２ａに、第１補助ローラＲ１、第２補助ローラＲ２ｂの回転支軸Ｓ１、Ｓ２ｂの側端部をそれぞれ挿入することにより、第１補助ローラＲ１及び第２補助ローラＲ２ｂを回転支軸Ｓ１、Ｓ２ｂを中心に回転可能に設定している。これら第１補助ローラＲ１及び第２補助ローラＲ２ｂは弾性変形可能なクッション性材料により形成したものであり、これら各ローラＲ１、Ｒ２ｂの上縁部がアーム部６の上縁より上方に位置するように設定されている。しかして、アーム部６に形成した嵌合孔６１ａに前記ベース５の突出部５２１に設けた凸部５２１ａを嵌め込むことにより、アーム部６とベース５とを一体的に組み付ける。この組付状態において、アーム部６の下縁とベース５の前半部５２における上縁との間に所定高さ寸法の間隙２Ｓが形成され（図３等参照）、前記凸部５２１ａと嵌合孔６１ａとの嵌合部位を支点としてアーム部６がベース５に対して天秤動作可能な状態となる。そして、アーム部６をベース５に対して略平行となるように位置させた場合、アームの上縁とベース５の後半部５１の上縁とが略一致し得るように設定してある。なお、本実施形態における転写対象物受け台２には、第1補助ローラＲ１を所定の操作力により一定角度回転させ得る操作レバーＬを設けており、後述する使用位置（Ｏ）においてこの操作レバーＬを適宜操作することにより、第１補助ローラＲ１を反転写方向へ一定寸法移動させ、これに連動して転写ローラＲＴも反転写方向へ一定寸法移動して転写ローラＲＴの転写面ＲＴａからテープ糊Ｔを引き出す結果テープ糊Ｔを紙片Ｐへ一定寸法で送り出し得るように構成している。また、操作レバーＬを介してテープ糊Ｔを紙片Ｐへ一定寸法で送り出し得る徐送状態と、この徐送状態を解除した通常の使用状態とを選択的に切り換えることができるように設定してある。また、アーム部６の上面部に挿通空間ＡＳの開放側の側方へ延出させてなる図示しない延出面部を形成し、転写時にこの延出面部によって紙片Ｐを支持するとともに、紙片Ｐを挿通空間ＡＳに差し込み易くするようにしている。さらに、延出面部の上面に、紙片Ｐへの糊Ｔｂの転写開始位置を示す転写開始位置表示手段を設けてもよい。転写開始位置表示手段としては、延出面部の上面において、転写ローラＲＴの回転支軸ＳＴの延長線上に略沿って設けた転写スタート位置表示ラインと、この転写スタート位置表示ラインのすぐ後方に設けた載置要領表示とから構成したものが挙げられる。これら転写スタート位置表示ライン及び載置要領表示は何れも延出面部の上面を浅く刻印したものが好ましく、転写スタート表示ラインとしては一直線上の線を、載置要領表示としては紙片の��状をそれぞれ採用すればよい。なお、これら転写スタート表示ライン及び載置要領表示として、延出面部の上面に印刷したものとしたりシールを貼付したものを採用しても構わない。このようにすることで、使用者に対して確実な転写作業と間違いのない使用方向とを示唆するようにしている。
【００３３】
このような構成をなす転写具本体１と転写対象物受け台２とを組み付けるには、先ず、転写具本体１の第１外側板４１に設けた軸４１８を、転写対象物受け台２のベース５に形成した軸受け部５１１に挿入する。具体的には、軸４１８を軸受け部５１１のうち後縁部側に形成した第２大径部５１１ｂに挿入し、この状態で軸４１８に形成したねじ孔に螺合するネジＶをねじ込み、転写対象物受け台２を転写具本体１に対して抜脱不能に一体的に組み付ける。なお、本実施形態においては、ネジＶとしていわゆるツマミ付ネジを用いており、ねじ合わせ作業の容易化を図っている。そして、この組付状態において、軸４１８と第２大径部５１１ｂとの枢着点を支点に、転写対象物受け台２が転写具本体１の転写ヘッドＨから所定距離離間した不使用位置（Ｐ）と、転写対象物受け台２が転写具本体１の転写ヘッドＨに当接又は近接した使用位置（Ｏ）との間で転写対象物受け台２を転写具本体１に対して回動可能に設定している。本実施形態においては、転写対象物受け台２が不使用位置（Ｐ）に位置する場合、軸４１８の上縁部４１８ａおよび下縁部４１８ｂを各外側板４１、４３の下周縁部４１６、４３６に対して所定角度（本実施形態では略１５度）傾斜させているため、転写対象物受け台２が、転写具本体１に対して所定角度（本実施形態では略１５度）をなしている（図５（ｂ）参照）。そして、不使用位置（Ｐ）にある転写対象物受け台２を前記使用位置（Ｏ）に回転移動させると、軸４１８が第２大径部５１１ｂ内においてベース５に設けた弾性部材５３に当接して、これにより弾性部材５３の後端部側における開口部５３ａの開口高さ寸法が大きくなるように弾性部材５３が弾性変形する（図５（ａ）参照）。また、使用位置（Ｏ）にある転写対象物受け台２には、弾性部材５３の復元力により不使用位置（Ｐ）に戻る方向に力が作用する。
【００３４】
しかして、転写対象物受け台２を使用位置（Ｏ）に位置付けた場合、転写具本体１の第１外側板４１に設けた延出片４１７が、転写対象物受け台２のアーム部６の一部に当接し（図５（ａ）参照）、転写具本体１と転写対象物受け台２とが所定距離以上接近することを規制する。また、使用位置（Ｏ）において、転写具本体１に設けた転写ローラＲＴと転写対象物受け台２に設けた第１補助ローラＲ１とが当接または近接した状態で対向するとともに、これら転写ローラＲＴと第１補助ローラＲ１との対向位置から転写方向に所定距離離れた位置において転写具本体１に設けた第２補助ローラＲ２ａと転写対象物受け台２に設けた第２補助ローラＲ２ｂとが当接または近接した状態で対向し、転写具本体１と転写対象物受け台２との間に紙片Ｐが挿通可能な挿通空間ＡＳが形成される。この場合、挿通空間ＡＳにおいて転写ローラＲＴの転写面ＲＴａと第１補助ローラＲ１の裏当て面Ｒ１ａとが当接または近接した状態で対向し、転写具本体１に設けた第２補助ローラＲ２ａの下縁部と転写対象物受け台２に設けた第２補助ローラＲ２ｂの上縁部とが当接または近接した状態で対向している。挿通空間ＡＳは、第１外側板４１及び第２外側板４３の下周縁部４１６、４３６とベース５及びアーム部６の上縁部との間に形成されるものであり、図６に示すように、一方の側方が前記延出片４１７によって略閉塞され、転写方向、延出片４１７に対向し得る他方の側方、及び反転写方向の三方に連続して開口しているものである。
【００３５】
一方、軸４１８を軸受け部５１１の第２大径部５１１ｂに位置させている場合、転写対象物受け台２が転写ヘッドＨの先端部を被覆し得る転写ヘッド被覆位置（Ｑ）となり、この状態から軸受け部５１１の溝５１１ｃの延出方向に沿って軸４１８を第１大径部５１１ａに向かってスライド移動させると、転写対象物受け台２が転写ヘッドＨの先端部を表出させてなる転写ヘッド表出位置（図示省略）となる。このように、軸４１８と軸受け部５１１とを用いて、軸受け部５１１の溝５１１ｃの延出方向に沿って軸４１８をスライド移動させることにより転写ヘッド被覆位置（Ｑ）と転写ヘッド表出位置との間で転写対象物受け台２を転写具本体１に対してスライド移動可能なスライド移動機構を構成している。
【００３６】
次に、このような構成を有する転写具Ａの使用方法及びその作用について説明する。
【００３７】
先ず、転写具本体１に親指を掛けるとともに、転写対象物受け台２にその他の指を掛けるようにして転写具Ａを持つ。その際、転写具本体１の延出片４１７が掌側に位置するように転写具Ａを持つ。そして、転写対象物受け台２を不使用位置（Ｐ）にした状態で、紙片Ｐの縁部Ｐａが転写具本体１の延出片４１７に当接又は近接するように紙片Ｐと転写具Ａとを近付ける。次いで転写対象物受け台２を転写ヘッドＨに近付ける方向に操作力を付与する、すなわち転写具Ａを強く握ると、転写対象物受け台２が転写具本体１に対して回転移動し使用位置（Ｏ）となる。この際、上述したように延出片４１７がアーム部６の一部に当接するとともに、転写ローラＲＴと第１補助ローラＲ１とが紙片Ｐを挟んだ状態で対向し、第２補助ローラＲ２ａ、Ｒ２ｂ同士が紙片Ｐを挟んだ状態で対向する。このようにして、転写具本体１と転写対象物受け台２との間に紙片Ｐを挟み込んだ状態で転写ローラＲＴの転写面ＲＴａを紙片Ｐの表面に接触させて転写方向に転写具Ａをスライド移動させる。そして、転写具Ａを転写方向へスライド移動させる際、紙片Ｐの縁部Ｐａと延出片４１７とを当接させた状態で紙片Ｐを延出片４１７に案内させて挿通空間ＡＳ内を移動し得るように構成している（図６参照）。転写具Ａを転写方向へスライド移動させる操作に伴って、第１補助ローラＲ１がその裏当て面Ｒ１ａを紙片Ｐの裏面に接触させながら転写ローラＲＴと連動して同期回転するとともに、一対の第２補助ローラＲ２ａ、Ｒ２ｂが紙片Ｐとの摩擦力により同期回転し、安定した転写作業を行うことができるように設定してある。そして、転写対象物受け台２のアーム部６をベース５に対して天秤動作可能に設定していることにより、アーム部６に設けた第１補助ローラＲ１及び第２補助ローラＲ２ｂが、転写具本体１に設けた転写ローラＲＴ及び第２補助ローラＲ２ａと適宜接離し、少なくとも第１補助ローラＲ１の裏当て面Ｒ１ａが転写時に紙片Ｐの裏面に接触するように構成している。しかして、転写時には、転写面ＲＴａと紙片Ｐとの間に挟まれたテープ糊Ｔが摩擦力で巻出用ギアＧ１と共に回転する巻出用スプールＳＰ１から送り出され、転写面ＲＴａを通過する際にテープ本体Ｔａの片面に添着した糊Ｔｂがテープ本体Ｔａから剥がれて紙片Ｐの表面に転写されると同時に、巻出用ギアＧ１に伴って逆回転する巻取用ギアＧ２と共に巻取用スプールＳＰ２が回転することによって片面に糊Ｔｂを有しないテープ本体Ｔａが転写ヘッドＨを通過して巻取用スプールＳＰ２に巻き取られることになる。このように、巻出用スプールＳＰ１、巻出用ギアＧ１、巻取用スプールＳＰ２、及び巻取用ギアＧ２によって、テープ本体Ｔａの片面に糊Ｔｂを添着したテープ本体Ｔｓを転写ヘッドＨへ送り出すとともに転写ヘッドＨを通過しテープ本体Ｔａの片面に糊Ｔｂを添着していないテープ本体Ｔａを巻き取る本発明の巻出巻取機構を構成している。なお、テープ本体Ｔａが前記巻出巻取機構によって巻き取られる方向をテープ巻取方向とする。前記転写作業に伴って、図７（同図は、図５（ａ）の要部を一部省略して示した作用説明図である。なお、同図はテープ糊Ｔの構成及び糊Ｔｂの紙片Ｐへの転写状態をより分かりやすくするために模式的に示したものである。）に示すように、転写面ＲＴａを通過し片面に糊Ｔｂが添着された紙片Ｐは、テープ本体Ｔａが巻出巻取機構によってテープ巻取方向に巻き取られる動作につられてテープ巻取方向へ移動し、経過的に第１外側板４１のコーナー部４１Ｇ及び第２外側板４３のコーナー部４３Ｇに添接する（同図（ａ）及び（ｂ）参照）。前記各コーナー部４１Ｇ、４３Ｇに添接した紙片Ｐは、テープ巻取方向への移動が規制され反転写方向へ案内される（同図（ｃ））。このように、第１外側板４１のコーナー部４１Ｇ及び第２外側板４３のコーナー部４３Ｇが、転写面ＲＴａを通過した紙片Ｐが転写ローラＲＴの外縁部よりも優先して添接する本発明のガイド部と機能している。そして、本実施形態においては、これらガイド部４１Ｇ、４３Ｇを用いて、紙片Ｐをテープ巻取方向とは異なる方向へ案内することにより紙片Ｐのテープ巻取方向への巻き込みを防止する本発明の巻込防止手段を構成している。そして、紙片Ｐにおける所望の領域を転写した後は、転写対象物受け台２を転写具本体１に近付ける方向への操作力の付与を停止することによって、転写対象物受け台２がベース５に設けた弾性部材５３の復元力（付勢力）によって転写ヘッドＨから離間する方向に回転移動して不使用位置（Ｐ）となる。
【００３８】
なお、本実施形態に係る転写具Ａは、転写具本体１と転写対象物受け台２との間に紙片Ｐを挟み込んで使用する態様の他、写具本体１と転写対象物受け台２との間に紙片Ｐを挟み込まず、転写具本体１のみを紙片Ｐに接触させてテープ糊Ｔを紙片Ｐに転写する使用態様も採用することができる。すなわち、前記軸４１８と軸受け部５１１とを用いて構成したスライド移動機構を利用して、前記転写ヘッド被覆位置（Ｑ）にある転写対象物受け台２を転写具本体１に対して後方（転写方向）にスライド移動させることにより転写ヘッド表出位置（Ｒ）となり、この状態で転写ヘッドＨを紙片Ｐに接触させて転写方向に転写具Ａをスライド移動させることにより周知の転写具Ａと同様の使用態様で転写することができる。また、テープ糊Ｔを使い切った場合や転写ヘッドＨを交換する場合には、第１外側板４１の係止片４１Ｋと第２外側板４３の前周縁部４３３に形成した係止孔４３Ｋとの係合状態を解除してケース４を前記開放位置とし、詰替カートリッジ３をケース４から取り外して別の詰替カートリッジ３をケース４に取り付ければよい。
【００３９】
このように、本実施形態に係る転写具Ａは、転写ヘッドＨが、紙片Ｐに接触し且つ糊Ｔｂを紙片Ｐに転写する部位である転写面ＲＴａを有し、この転写面ＲＴａを紙片Ｐに接触しつつ所定の転写方向へ移動させることにより糊Ｔｂを紙片Ｐに転写する際に、転写面ＲＴａを通過した紙片Ｐを、転写面ＲＴａを通過したテープ本体Ｔａが巻き取られるテープ巻取方向とは異なる方向へ案内することにより紙片Ｐのテープ巻取方向への巻き込みを防止する巻込防止手段をケース４に形成しているため、テープ本体Ｔａが巻き取られる動作に連動して紙片Ｐがテープ巻取方向に巻き込まれるという事態を回避することが可能となり、転写ヘッドＨに対する紙片Ｐの移動を滑らかにすることができ、スムーズに転写作業を行うことができる。また、ケース４に巻込防止手段を設定することにより、比較的小さい部品である転写ヘッドに巻込防止手段を設ける態様と比較して、細かな作業が要求されず成形性に優れたものとなる。
【００４０】
特に、紙片Ｐのテープ巻取方向への巻き込みが起こり易い転写ローラＲＴを設けた転写ヘッドＨを備えたタイプの転写具Ａに巻込防止手段を備えることは有用であり、実用性に富むものとなる。
【００４１】
また、巻込防止手段を、側面視において転写ローラＲＴの縁部よりも反転写方向側に位置付けたケース４の縁部、すなわち外側板４１、４３のコーナー部４１Ｇ、４３Ｇを利用して構成し、転写面ＲＴａを通過した紙片Ｐを転写ローラＲＴａの縁部よりも外側板４１、４３のコーナー部４１Ｇ、４３Ｇに優先して添接させることにより紙片Ｐをテープ巻取方向とは異なる方向に案内可能に構成しているため、簡素な構造を採用しつつ紙片Ｐがテープ巻込方向へ巻き込まれることを防止する防止することができる。
【００４２】
加えて、外側板４１、４３のコーナー部４１Ｇ、４３Ｇが側面視略角状をなしているため、転写面ＲＴａを通過した紙片Ｐとコーナー部４１Ｇ、４３Ｇとの添接する領域が必然的に小さくなり、紙片Ｐの紙離れをよりスムーズに行わせしめることができる。
【００４３】
また、ケース４が、テープ糊Ｔ及び転写ヘッドＨを保持する詰替カートリッジ３を着脱可能に収納するものであるため、詰替カートリッジ３を交換した場合であっても、ケース４の外側板４１、４３のコーナー部４１Ｇ、４３Ｇを用いた巻込防止手段はそのまま機能することとなり、交換部品点数を最小必要限に抑えることができ、コスト面において有利になる。
【００４４】
さらに、転写具本体１と、この転写具本体１に対して相対的に回動可能な転写対象物受け台２とを備えてなり、転写具本体１と転写対象物受け台２との間に紙片Ｐを挟み込んだ状態で転写ヘッドＨの転写面ＲＴａを紙片Ｐに接触させながら所定の転写方向へスライド移動させることによりテープ糊Ｔを紙片Ｐに転写するように構成しているため、転写時に紙片Ｐを敷くためのテーブルや机等の台を用意する必要がなく、どのような場所であっても簡単に転写することができる。
【００４５】
なお、本発明は、以上に詳述した実施形態に限られるものではない。
【００４６】
例えば、ガイド部として、外側板の縁部（コーナー部）自体ではなく、ケースの縁部に設けた別体のガイド専用部材を採用してもよい。この場合、このガイド専用部材の縁部を転写ローラの縁部よりも反転写方向側に位置するように設定することにより、転写面を通過した紙等の転写対象物をローラの縁部よりも優先してこれらガイド専用部材の縁部に添接させることができ、上述と同様の効果を得ることができる。
【００４７】
また、前記実施形態においては、転写具がケースと詰替カートリッジとを備え、転写テープを交換可能に構成したものを例示したが、このような交換可能な詰替タイプの転写具に限らず、いわゆる使い捨てタイプの転写具であってももちろん構わない。
【００４８】
また、巻込防止手段が、ガイド部に沿って前記転写方向に対して平面視略直交する方向に突出させてなるガイド補助部を具備し、転写面を通過した紙等の転写対象物をガイド部及びガイド補助部に添接させることにより転写対象物をテープ巻取方向とは異なる方向に案内可能に構成してもよい。このようなものであれば、転写面を通過した転写対象物をガイド部と共にガイド補助部に案内させることにより、転写面を通過した転写対象物が、テープ巻取方向に巻き込まれることをより確実に防止することができる。ガイド補助部の一例としては、図８及び図９に示すようなものが挙げられる。図８（ａ）、（ｂ）に示すガイド補助部は、ガイド部として機能する外側板４３のコーナー部４３Ｇに沿って外側方に向かって突出させてなる外方突出部Ｇｏである。この外方突出部Ｇｏは側面視略Ｌ字状をなし、転写面ＲＴａを通過した紙片Ｐが各外側板４１、４３のコーナー部４１Ｇ、４３Ｇと外方突出部Ｇｏに添接することにより紙片Ｐをテープ巻取方向とは異なる方向に案内するように設定してある。また、この外方突出部Ｇｏを、転写時に紙片等の転写対象物の縁部が当接し得る本発明の当たり部として機能する延出部４１７を設けた外側板４１とは異なる他方の外側板４３に設けている。このようなものであれば、延出部４１７を備えていない外側板４３にのみ外方突出部Ｇｏを設けるだけでよいため、両外側板４１、４３にそれぞれ外方突出部Ｇｏを設ける態様と比較して、構造の簡素化を有効に図ることができるのみならず、転写時に、延出部４１７に転写対象物の縁部を当接させることにより、転写具Ａに対する転写対象物の位置決めを的確に行うことができ、転写対象物の縁部と略平行に転写を行うことが可能になる。一方、同図においては外方突出部Ｇｏを一方の外側板４３にのみ設けた態様を明示しているが、他方の外側板４１にも同様の外方突出部を設けても構わない。また、同図（ｃ）、（ｄ）に示すガイド補助部は、ガイド部として機能する外側板４１、４３のコーナー部４１Ｇ、４３Ｇ間を連結する連結部Ｇｉである。この連結部Ｇｉは、コーナー部４１Ｇ、４３Ｇに沿った側面視略Ｌ字状をなし、転写面ＲＴａを通過した紙片Ｐが各外側板４１、４３のコーナー部４１Ｇ、４３Ｇと連結部Ｇｉに添接することにより紙片Ｐをテープ巻取方向とは異なる方向に案内するように設定してある。さらに、図９（ａ）、（ｂ）に示すガイド補助部は、ガイド部として機能する外側板４１、４３のコーナー部４１Ｇ、４３Ｇ間を連結する連結部Ｇｉであり、具体的には外側板４１、４３のコーナー部４１Ｇ、４３Ｇの前縁同士を連結し、その下縁がコーナー部４１Ｇ、４３Ｇの下縁と略一致するように設定したものである。このような形状をなす連結部Ｇｉは、外側板４１、４３のコーナー部４１Ｇ、４３Ｇとともに巻込防止手段として機能し、転写面ＲＴａを通過した紙片Ｐを各外側板４１、４３のコーナー部４１Ｇ、４３Ｇと連結部Ｇｉに添接することにより紙片Ｐをテープ巻取方向とは異なる方向に案内させるものである。なお、同図（ｃ）、（ｄ）に示す外側板４１、４３のコーナー部４１Ｇ、４３Ｇは、外側板４１、４３の他の領域よりも下方に突出し且つ転写面ＲＴａより若干上方に位置する形状をなし、転写面ＲＴａを通過した紙片Ｐが直ぐにこれらコーナー部４１Ｇ、４３Ｇに添接するように設定してある。この場合、これらコーナー部４１Ｇ、４３Ｇが巻込防止手段として積極的に機能し、コーナー部４１Ｇ、４３Ｇの前縁同士を連結し且つ下縁がコーナー部４１Ｇ、４３Ｇの下縁より上方に位置する連結部Ｇｉは補助的に巻込防止手段として機能している。上述した各連結板Ｇｉはガイド補助部としての役割を担うとともに、外側板４１、４３のコーナー部４１Ｇ、４３Ｇ同士を連結するものであるため、外側板４１、４３間の剛性度及び転写ヘッドＨの配設箇所近傍領域における強度を有効に高めることができる。その結果、転写具Ａの使用時や転写具の落下時に各外側板４１、４３が相互に相寄る方向に撓み得る虞を簡単な構造を用いて有効に回避することができる。また、ガイド補助部として、ガイド部（外側板の縁部）に沿って転写方向に対して平面視略直交する内側方に向かって所定寸法突出させてなる内方突出部を採用してもよい。この内方突出部は、各外側板の縁部からそれぞれ内側方に向かって突出させたものであってもよく、あるいは一方の外側板の縁部からのみ内側方に向かって突出させたものであってもよい。また、ガイド補助部としては、外側板の縁部から外側方に向かって突出させてなる外方突出部と、外側板の縁部から内側方に向かって突出させてなる内方突出部とを両方備えたものを採用しても構わない。この場合、内方突出部が、外側板の縁部間を連結する連結部であってもよい。
【００４９】
また、前記実施形態においては、転写ヘッドが転写ローラを具備するものである場合について説明したが、これに限らず、転写ヘッドが、転写時に回転することなく紙等の転写対象物の表面を滑る転写面を有してなる面板部を具備するものであってもよい。このようなものであれば、転写ローラを備えたものと比較して、回転支軸を設ける必要がなく、構造の簡素化を有効に図ることができる。この場合、巻込防止手段を、側面視において前記面板部の縁部よりも反転写方向側に位置付けたケースの縁部に形成したガイド部を用いて構成し、転写面を通過した転写対象物を面板部の縁部よりもガイド部に優先して添接させることにより転写対象物をテープ巻取方向とは異なる方向に案内する巻込手段を構成すればよい。
【００５０】
また、転写要素としての糊は、固体又は液体糊いずれであっても構わない。また、転写テープとして、テープ糊の代わりに、修正テープや粘着テープ、粘着性を有しないテープを用いても構わない。
【００５１】
その他、各部の具体的構成についても上記実施形態に限られるものではなく、本発明の趣旨を逸脱しない範囲で種々変形が可能である。
【図面の簡単な説明】
【００５２】
【図１】本発明の一実施形態に係る転写具の全体斜視図。
【図２】同実施形態に係る転写具の分解斜視図。
【図３】同実施形態に係る転写具を一部省略して示す概略側面図。
【図４】同実施形態に係る転写具を一部省略して示す概略側面図。
【図５】作用説明図。
【図６】図３におけるＢ−Ｂ線断面を一部省略して示す図。
【図７】作用説明図。
【図８】同実施形態に係る転写具の変形例を示す図。
【図９】同実施形態に係る転写具の変形例を示す図。
【符号の説明】
【００５３】
１…転写具本体
２…転写対象物受け台
３…詰替カートリッジ
４…ケース
４１、４３…外側板（第１外側板、第２外側板）
４１Ｇ、４３Ｇ…縁部（コーナー部）
Ａ…転写具
ＡＳ…挿通空間
Ｇｉ…内方突出部
Ｇｏ…外方突出部
Ｈ…転写ヘッド
Ｐ…転写対象物（紙片）
ＲＴ…転写ローラ
ＲＴａ…転写面
Ｔ…転写テープ（テープ糊）
Ｔａ…テープ本体
Ｔｂ…転写要素（糊）
【図１】
2005319621.tif 000003
【図２】
2005319621.tif 000004
【図３】
2005319621.tif 000005
【図４】
2005319621.tif 000006
【図５】
2005319621.tif 000007
【図６】
2005319621.tif 000008
【図７】
2005319621.tif 000009
【図８】
2005319621.tif 000010
【図９】
2005319621.tif 000011